(57)【要約】【課題】本発明は、テレビの表示画面上に接続機器のコントロールパネルなどを表示させることなく、リモコンの操作によって放送番組の記録・再生が可能な放送番組記録再生装置を提供することを目的とする。【解決手段】本発明による放送番組記録再生装置は、放送番組を受信して表示するテレビ１００と、テレビ１００に対して映像と音声を含むデータ信号や制御信号が授受可能に接続され、放送番組を記録再生するレコーダ１１０と、テレビ１００を操作するリモコン１０１とを有する放送番組記録再生装置において、放送番組を視聴中にリモコン１０１の所定のボタンを押下したときに、レコーダ１１０に視聴中の映像信号と音声信号とを記録する第１の機能と、第１の機能を実行中にリモコン１０１の所定のボタンを押下したときに、レコーダ１１０から映像信号と音声信号とを再生してテレビ１００に表示する第２の機能とを備えることを特徴とする。【選択図】図１
2008136020.tif 000002
【特許請求の範囲】
【請求項１】
放送番組を受信して表示する表示装置と、
前記表示装置に対して映像と音声を含むデータ信号や制御信号が授受可能に接続され、前記放送番組を記録再生する記録再生装置と、
前記表示装置を操作するリモコンと、
を有する放送番組記録再生装置において、
前記放送番組を視聴中に前記リモコンの所定のボタンを押下したときに、前記記録再生装置に前記視聴中の映像信号と音声信号とを記録する第１の機能と、
前記第１の機能を実行中に前記リモコンの所定のボタンを押下したときに、前記記録再生装置から前記映像信号と前記音声信号とを再生して前記表示装置に表示する第２の機能と、
を備える、放送番組記録再生装置。
【請求項２】
前記所定のボタンは一時停止ボタンであることを特徴とする、請求項１に記載の放送番組記録再生装置。
【請求項３】
前記第１の機能は、前記記録再生装置から記録開始時の静止画を前記表示装置に表示する機能を備えることを特徴とする、請求項１に記載の放送番組記録再生装置。
【請求項４】
前記第２の機能は、前記リモコンの操作によって前記再生の状態を変化させる機能を備えることを特徴とする、請求項１に記載の放送番組記録再生装置。
【発明の詳細な説明】
【技術分野】
【０００１】
本発明は、放送番組記録再生装置に関し、特に、リモコンを表示装置に向けて操作すると記録再生装置の操作が可能となる放送番組記録再生装置に関する。
【背景技術】
【０００２】
近年、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格のケーブルで相互接続された機器が、映像・音声に関するコンテンツなどを含むデータ信号やコマンドと呼ばれる制御信号などをやりとりすることによって、コンテンツを記録・再生するシステムが出現してきている（例えば、特許文献１、非特許文献１参照）。
【０００３】
テレビとレコーダとをＨＤＭＩケーブルで接続すると、テレビのリモコンをテレビに向けて操作すると、レコーダの操作も可能となる。すなわち、１つのリモコンを用いて、ＨＤＭＩケーブルで接続された複数の機器の操作が可能となる。例えば、映像・音声に関するコンテンツをテレビのリモコンを用いてレコーダに記録しようとするときには、テレビの表示画面上にレコーダ操作用のパネルを呼び出し、記録用のパネルボタンまたはそれに類するものを選択することによって映像・音声に関するコンテンツの記録が可能となる。
【０００４】
【特許文献１】特開２００５−１８４０７９号公報
【非特許文献１】ＨＤＭＩ  Ｌｉｃｅｎｃｉｎｇ  ＬＬＣ，  Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３
【発明の開示】
【発明が解決しようとする課題】
【０００５】
従来の技術では、テレビとＨＤＭＩケーブルで接続されたレコーダに映像・音声に関するコンテンツを記録しようとするときに、テレビの表示画面上に接続機器のコントロールパネルなどを表示させる必要があり、このような操作が煩わしいという問題点があった。
【０００６】
本発明は、このような問題を解決するためになされたもので、テレビの表示画面上に接続機器のコントロールパネルなどを表示させることなく、リモコンの操作によって放送番組の記録・再生が可能な放送番組記録再生装置を提供することを目的とする。
【課題を解決するための手段】
【０００７】
上記の課題を解決するために、本発明による放送番組記録再生装置は、放送番組を受信して表示する表示装置と、表示装置に対して映像と音声を含むデータ信号や制御信号が授受可能に接続され、放送番組を記録再生する記録再生装置と、表示装置を操作するリモコンとを有する放送番組記録再生装置において、放送番組を視聴中にリモコンの所定のボタンを押下したときに、記録再生装置に視聴中の映像信号と音声信号とを記録する第１の機能と、第１の機能を実行中にリモコンの所定のボタンを押下したときに、記録再生装置から映像信号と音声信号とを再生して表示装置に表示する第２の機能とを備えることを特徴とする。
【発明の効果】
【０００８】
本発明は、請求項１に記載のように、放送番組を視聴中にリモコンの所定のボタンを押下したときに、記録再生装置に視聴中の映像信号と音声信号とを記録する第１の機能と、第１の機能を実行中にリモコンの所定のボタンを押下したときに、記録再生装置から映像信号と音声信号とを再生して表示装置に表示する第２の機能とを備えることを特徴とするため、テレビの表示画面上に接続機器のコントロールパネルなどを表示させることなく、リモコンの操作によって放送番組の記録・再生が可能な放送番組記録再生装置の提供が可能である。
【発明を実施するための最良の形態】
【０００９】
本発明の実施形態について、図面に基づいて以下に説明する。
【００１０】
〈実施形態１〉
図１は、本発明の実施形態１による放送番組記録再生装置の構成図である。放送番組記録再生装置は、表示装置であるテレビ１００と、テレビ１００とＨＤＭＩケーブル１２０で接続された記録再生装置であるレコーダ１１０と、テレビ１００のリモコン１０１とから構成される。テレビ１００とレコーダ１１０とはＨＤＭＩケーブル１２０で接続されているため、リモコン１０１を用いてレコーダ１１０の操作が可能となる。
【００１１】
テレビ１００の構成について説明する。表示部１０２は、映像を表示して音声を出力するものであり、例えばＣＲＴ（Ｃａｔｈｏｄｅ  Ｒａｙ  Ｔｕｂｅ：ＣＲＴ）、液晶パネル、プラズマディスプレイなどとスピーカーである。入力切替部１０３は、テレビ１００に内蔵された受信チューナー（図示せず）や、外部機器からの映像信号や音声信号などの入力信号を切り替える。コントロール部１０４は、テレビ１００全体を制御するものであり、例えばＣＰＵなどがある。リモコン受信部１０５は、リモコン１０１からの信号を受信する。ＨＤＭＩインターフェース１０６は、テレビ１００とＨＤＭＩケーブル１２０との接続部である。制御コマンド送受信部１０７は、テレビ１００などと、それらに接続されているレコーダなどの機器との間で制御コマンドの授受を行う。ＨＤＭＩケーブル１２０は、映像信号、音声信号、制御信号を伝送するものである。なお、本発明の実施形態では、ＨＤＭＩケーブルを用いるが、制御信号を伝送する機能を備えているのであれば、いかなる回線でもよい。
【００１２】
次にレコーダ１１０の構成について説明する。ハードディスク１１１は、外部から取り込んだか、または内部で生成した映像・音声信号を同時記録再生する機能を有したものである。コントロール部１１２は、レコーダ１１０の全体を制御する。映像・音声送信部１１３は、外部機器に映像信号と音声信号を送信する。制御コマンド送受信部１１４は、テレビ１００などと、それらに接続されているレコーダなどの機器との間で制御コマンドの授受を行う。ＨＤＭＩインターフェース１１５は、レコーダ１１０とＨＤＭＩケーブル１２０との接続部であり、ＨＤＭＩの映像・音声信号を出力し、制御コマンドを外部機器とやり取りする端子である。
【００１３】
ＨＤＭＩの構成について詳細に説明する。図２は、ＨＤＭＩの構成概略図である。ＨＤＭＩは、送信部２０１と受信部２０４とから構成され、送信部２０１はレコーダ、ＤＶＤ、ＶＴＲなどの映像・音声源となる機器であり、受信部２０４はテレビなどの映像を表示したり音声を出力したりする機器である。また、送信部２０１と受信部２０４とはＨＤＭＩケーブルによって接続されている。送信部２０１は、図１のＨＤＭＩインターフェース１１５に相当し、映像信号（Ｙ、Ｐｂ、Ｐｒ）とオーディオ信号（ＩＥＣ９５８）とをＴＭＤＳエンコードすることによって高速伝送に適した形式に変換してから受信部２０４に出力する。ＴＭＤＳエンコーダ２０２は、映像データをパラレル８ビット×３チャネルからシリアル１０ビット×３チャネルに変換し、音声データをパラレル４ビットからシリアル１０ビットに変換する。送信側コントロール部２０３は送信部２０１を制御する。受信部２０４は、図１のＨＤＭＩインターフェース１０６に相当し、送信部２０１から送られてきた映像データや音声データをＴＭＤＳデコードし、ベースバンドにある映像データや音声データを再生する。ＴＭＤＳデコーダ２０５は、映像データをシリアル１０ビットからパラレル８ビットに変換し、音声データをシリアル１０ビットからパラレル４ビットに変換する。受信側コントロール部２０６は受信部２０４を制御する。ＣＥＣ（Ｃｏｎｓｕｍｅｒ  Ｅｌｅｃｔｒｏｎｉｃｓ  Ｃｏｎｔｒｏｌ）ライン２０７は機器制御ラインであり、民生機器用の制御信号を伝送するものである。また、ＤＤＣ（Ｄｉｓｐｌａｙ  Ｄａｔａ  Ｃｈａｎｎｅｌ）ライン２０８は、テレビの制御信号を伝送するものである。本発明の実施形態では、ＣＥＣラインを用いたが、制御信号を伝送するものであればいかなるものでもよい。また、ＤＤＣラインについても、テレビの制御信号を伝送するものであればいかなるものでもよい。
【００１４】
図３は、本発明の実施形態１による放送番組を視聴中にリモコンの所定のボタンを押下したときに記録する方法を示すフローチャートである。
【００１５】
ＳＴＥＰ１において、ユーザはリモコン１０１の一時停止ボタンを押下する。本発明の実施形態では所定のボタンとして一時停止ボタンを用いているが、リモコンのボタンであればいかなるボタンであってもよい。
【００１６】
ＳＴＥＰ２において、リモコン１０１から送信されたリモコンコードを、テレビ１００のリモコン受信部１０５が受信する。
【００１７】
ＳＴＥＰ３において、リモコン受信部１０５は、リモコン１０１から受信したリモコンコードをコントロール部１０４に転送する。コントロール部１０４はリモコンコードを解析し、その結果を制御コマンド送受信部１０７に送信する。制御コマンド送受信部１０７はコントロール部１０４から受信した信号に基づいて、放送番組を一時停止するための一連のコマンドのレコーダ１１０への送信を開始する。
【００１８】
ＳＴＥＰ４において、テレビ１００からレコーダ１１０の電源状態を要求するために、テレビ１００のＨＤＭＩインターフェース１０６からレコーダ１１０のＨＤＭＩインターフェース１１５へ、ＨＤＭＩケーブル１２０のＣＥＣライン２０７を経由してコマンドを送信する。
【００１９】
ＳＴＥＰ５において、レコーダ１１０の電源状態がオフまたはスタンバイ状態である場合はＳＴＥＰ６へ移行し、電源状態がオンである場合はＳＴＥＰ７へ移行する。
【００２０】
ＳＴＥＰ６において、レコーダ１１０の電源ボタンのリモコンコードを、ＨＤＭＩインターフェース１０６からＨＤＭＩインターフェース１１５へ、ＨＤＭＩケーブル１２０のＣＥＣライン２０７を経由して送信し、レコーダ１１０の電源をオンの状態にする。ＳＴＥＰ６での処理後、ＳＴＥＰ４に戻ってレコーダ１１０の電源状態を再度チェックする。そしてＳＴＥＰ５において、レコーダ１１０の電源状態がオンのときのみＳＴＥＰ７へ移行する。
【００２１】
ＳＴＥＰ７において、放送番組の一時停止を実行するコマンドを、ＨＤＭＩインターフェース１０６からＨＤＭＩインターフェース１１５へ、ＨＤＭＩケーブル１２０のＣＥＣライン２０７を経由して送信する。
【００２２】
ＳＴＥＰ８において、放送番組の一時停止を実行するコマンドを制御コマンド送受信部１１４で受信し、コントロール部１１２でコマンドの解析を行う。そして解析結果に基づいて、ハードディスク１１１にユーザが視聴中の放送番組の記録を開始する。なお、放送番組の記録方法として、ＥＰＧ（Ｅｌｅｃｔｒｏｎｉｃ  Ｐｒｏｇｒａｍ  Ｇｕｉｄｅ）などから得た番組予定情報を用いて番組終了まで記録を行うか、ユーザが任意に記録終了のタイミングを設定してもよい。
【００２３】
ＳＴＥＰ９において、テレビ１０２の表示部１００への入力を、受信チューナーから入力される信号から、ＨＤＭＩから入力される信号に切り替えるリモコンコードを、ＨＤＭＩインターフェース１１５からＨＤＭＩインターフェース１０６へ、ＨＤＭＩケーブル１２０のＣＥＣライン２０７を経由して送信する。
【００２４】
ＳＴＥＰ１０において、制御コマンド送受信部１０７はレコーダ１１０から送信されたリモコンコードを受信し、それによって入力切替部１０３は入力をＨＤＭＩからの信号を入力するように切り替える。
【００２５】
ＳＴＥＰ１１において、記録開始時の静止画を、ＨＤＭＩインターフェース１１５からＨＤＭＩインターフェース１０６へ送信する。
【００２６】
ＳＴＥＰ１２において、テレビ１００は、ＨＤＭＩインターフェース１０６で受信した記録開始時の静止画を表示部１０２で表示する。
【００２７】
図４は、本発明の実施形態１による放送番組を記録中にリモコンの所定のボタンを押下したときに記録した映像を再生して表示装置に表示する方法を示すフローチャートである。
【００２８】
ＳＴＥＰ１３において、ユーザは再びリモコン１０１の一時停止ボタンを押下する。本発明の実施形態では再び押下する所定のボタンとして一時停止ボタンを用いているが、リモコンのボタンであればいかなるボタンでもよい。
【００２９】
ＳＴＥＰ１４において、リモコン１０１から送信されたリモコンコードを、テレビ１００のリモコン受信部１０５が受信する。
【００３０】
ＳＴＥＰ１５において、リモコン受信部１０５は、リモコン１０１から受信したリモコンコードをコントロール部１０４に転送する。コントロール部１０４はリモコンコードを解析し、その結果を制御コマンド送受信部１０７に送信する。制御コマンド送受信部１０７はコントロール部１０４から受信した信号に基づいて、放送番組の一時停止を解除するための一連のコマンドの送信を開始する。
【００３１】
ＳＴＥＰ１６において、制御コマンド送受信部１１４で受信したコマンドを、コントロール部１１２が解析し、解析結果に基づいてハードディスク１１１で記録した放送番組を記録開始位置から再生する。このとき、放送番組が終了していない場合は、放送番組の記録を続けると同時に再生を行う。
【００３２】
ＳＴＥＰ１７において、記録した放送番組の再生映像・音声をＨＤＭＩインターフェース１１５からＨＤＭＩインターフェース１０６へ送信する。
【００３３】
ＳＴＥＰ１８において、ＨＤＭＩインターフェース１０６で受信した映像・音声を表示部１０２に表示する。
【００３４】
以上の本発明の実施形態１は、放送番組を視聴中のユーザがリモコン１０１の一時停止ボタンを押下したときに、リモコン１０１から受信したリモコンコードをテレビ１００のコントロール部１０４で解析し、放送番組の一時停止のコマンドの転送を開始する。コマンドはＨＤＭＩケーブル１２０のＣＥＣライン２０７を経由してレコーダ１１０に転送される。コマンドを受信したレコーダ１１０では放送番組の記録が開始され、同時に、記録開始時の静止画がレコーダ１１０からテレビ１００へ送信される。
【００３５】
また、放送番組を記録中にユーザが再度リモコン１０１の一時停止ボタンを押下すると、リモコンコードをコントロール部１０４で解析し、ＨＤＭＩケーブル１２０のＣＥＣライン２０７を経由してレコーダ１１０へ、放送番組の一時停止解除のコマンドの転送を開始する。放送番組の一時停止解除のコマンドを受信したレコーダ１１０はハードディスク１１１で記録した放送番組を記録開始位置から再生し、テレビ１００は、レコーダ１１０から送信されてＨＤＭＩインターフェース１０６で受信した映像・音声に関するコンテンツを表示部１０２に表示する。
【００３６】
さらに、本発明は、レコーダ１１０のハードディスク１１１で記録した放送番組をテレビ１００の表示部１０２で再生表示しているときに、リモコンの操作によって再生の状態を変化させる機能も備えている。
【００３７】
なお、本発明の実施形態１では一時停止ボタンを用いたが、いかなるボタンでもよく、放送番組を視聴中に押下するボタンと放送番組を記録中に押下するボタンは、同一である必要はない。
【００３８】
これらのことから、ユーザは従来のような煩雑なリモコン操作をすることなく放送番組の中断と視聴の続行が可能となり、ユーザの操作性を大幅に向上させることができる。
【図面の簡単な説明】
【００３９】
【図１】本発明の実施形態１による放送番組記録再生装置の構成図である。
【図２】ＨＤＭＩの構成概略図である。
【図３】本発明の実施形態１による放送番組を視聴中にリモコンの所定のボタンを押下したときに記録する方法を示すフローチャートである。
【図４】本発明の実施形態１による放送番組を記録中にリモコンの所定のボタンを押下したときに記録した映像を再生して表示装置に表示する方法を示すフローチャートである。
【符号の説明】
【００４０】
１００  テレビ、１０１  リモコン、１０２  表示部、１０３  入力切替部、１０４  コントロール部、１０５  リモコン受信部、１０６  テレビのＨＤＭＩインターフェース、１０７  制御コマンド送受信部、１１０  レコーダ、１１１  ハードディスク、１１２  コントロール部、１１３  映像・音声送信部、１１４  送信インターフェース、１１５  レコーダのＨＤＭＩインターフェース、１２０  ＨＤＭＩケーブル、２０１  ＨＤＭＩの送信部、２０２  ＨＤＭＩの送信部のＴＭＤＳエンコーダ、２０３  ＨＤＭＩの送信部のコントロール部、２０４  ＨＤＭＩの受信部、２０５  ＨＤＭＩの受信部のＴＭＤＳデコーダ、２０６  ＨＤＭＩの受信部のコントロール部、２０７  ＨＤＭＩの機器制御ライン、２０８  ＨＤＭＩのＤＤＣライン。
【図１】
2008136020.tif 000003
【図２】
2008136020.tif 000004
【図３】
2008136020.tif 000005
【図４】
2008136020.tif 000006